(57)【要約】【課題】ユーザの利便性を向上させると共に、ソフトウェア処理の負荷低減及び低消費電力を実現することができる。【解決手段】タッチ操作可能な複数の面個々への物体の近接を検知する検知部（１１）と、検知部（１１）の検知結果に基づき、上記複数の面のうち、物体が近接した一つの面を、物体近接面として判定する判定部（１２）と、上記複数の面個々へのタッチ操作の検出を制御するタッチパネルコントローラ（３１）に対し、上記物体近接面へのタッチ操作の検出を制御可能とする設定を行うタッチパネル設定部（１３）とを備えているパネル制御装置（１）である。【選択図】図１
2016162312.tif 000002
【特許請求の範囲】
【請求項１】
タッチ操作可能な複数の面個々への物体の近接を検知する検知部と、
上記検知部の検知結果に基づき、上記複数の面のうち、物体が近接した一つの面を、物体近接面として判定する判定部と、
上記複数の面個々へのタッチ操作の検出を制御するタッチパネルコントローラに対し、上記物体近接面へのタッチ操作の検出を制御可能とする設定を行うタッチパネル設定部と
を備えていることを特徴とするパネル制御装置。
【請求項２】
上記タッチパネル設定部は、上記タッチパネルコントローラに対し、上記物体近接面へのタッチ操作の検出を制御する際に必要となるタッチパネルパラメータを設定することを特徴とする請求項１に記載のパネル制御装置。
【請求項３】
上記複数の面個々への画像表示を制御する表示パネルコントローラに対し、上記物体近接面への画像表示を制御可能とする設定を行う表示パネル設定部をさらに備えていることを特徴とする請求項１または２に記載のパネル制御装置。
【請求項４】
上記表示パネル設定部は、上記表示パネルコントローラに対し、上記物体近接面への画像表示を制御する際に必要となる表示パネルパラメータを設定することを特徴とする請求項３に記載のパネル制御装置。
【発明の詳細な説明】
【技術分野】
【０００１】
本発明は、複数の面のうちタッチ操作及び画像表示可能な面を制御するパネル制御装置に関する。
【背景技術】
【０００２】
従来、２枚のタッチパネルを貼り合わせて、表面及び裏面の両面から入力及び画像表示可能な入力装置が従来技術として知られている（特許文献１を参照）。
【先行技術文献】
【特許文献】
【０００３】
【特許文献１】特開平８−１５２９６８号公報（１９９６年６月１１日公開）
【発明の概要】
【発明が解決しようとする課題】
【０００４】
しかしながら、上述のような従来技術では、表面及び裏面のいずれを入力及び画像表示可能にするかは、ユーザ自身が電気的なスイッチを用いて切り替えていた。このような切り替えは、ユーザにとって煩わしいものであり、ユーザの利便性を欠くものであった。
【０００５】
また、ユーザによる切り替えに備えて、表面及び裏面の両面からの入力及び画像表示が可能となるように待機しておかなければならず、そのため、ソフトウェアの処理負荷が発生し、さらに、両面を待機状態とすることにより電力消費も増大してしまうといった課題があった。
【０００６】
本発明は、上記課題に鑑みてなされたものであり、複数の面のうち入力及び画像表示可能とすべき面を判定することにより、ユーザの利便性を向上させると共に、ソフトウェア処理の負荷低減及び低消費電力を実現することができるパネル制御装置を提供することを目的とする。
【課題を解決するための手段】
【０００７】
上記の課題を解決するために、本発明の一態様に係るパネル制御装置は、タッチ操作可能な複数の面個々への物体の近接を検知する検知部と、上記検知部の検知結果に基づき、上記複数の面のうち、物体が近接した一つの面を、物体近接面として判定する判定部と、上記複数の面個々へのタッチ操作の検出を制御するタッチパネルコントローラに対し、上記物体近接面へのタッチ操作の検出を制御可能とする設定を行うタッチパネル設定部とを備えている。
【０００８】
上記構成によれば、検知部は、タッチ操作可能な複数の面個々へ物体が近接するかを検知する。判定部は、検知部が物体の近接を検知すると、その検知結果に基づき、複数の面のうち物体が近接した物体近接面を判定する。
【０００９】
複数の面個々へのタッチ操作の検出は、タッチパネルコントローラが制御する。タッチパネル設定部は、このタッチパネルコントローラに対し、判定部により判定された物体近接面へのタッチ操作の検出を制御可能となるように設定する。
【００１０】
従来であれば、物体（人間）が近接し、今後、ユーザによるタッチ操作が予想される面である物体近接面は、ユーザ自らが意識的に、複数の面のいずれかに、スイッチ等を用いて切り替えていた。これに対し、上記構成によれば、ユーザが意識的に切り替えることなく、自動的に、上述の物体近接面の入力及び画像表示が可能な状態に切り替わるので、ユーザ自らによる切り替え作業が不要となり、ユーザの利便性が向上する。さらに、ユーザによる切り替えに備え、表面及び裏面の両面からの入力及び画像表示が可能となるように待機することも不要となるので、ソフトウェアの処理負荷が軽減されると共に、消費電力も低減される。
【００１１】
なお、本発明の各態様に係るパネル制御装置は、コンピュータによって実現してもよく、この場合には、コンピュータを上記パネル制御装置が備える各部として動作させることにより上記パネル制御装置をコンピュータにて実現させるパネル制御装置の制御プログラム、およびそれを記録したコンピュータ読み取り可能な記録媒体も、本発明の範疇に入る。さらに、本発明の各態様に係るパネル制御装置は集積回路（ＩＣチップ）として実現してもよく、この場合には、上記集積回路を備えるチップなども本発明の範疇に入る。
【発明の効果】
【００１２】
本発明は、ユーザの利便性を向上させると共に、ソフトウェア処理の負荷低減及び低消費電力を実現することができるという効果を奏する。
【図面の簡単な説明】
【００１３】
【図１】本発明の一実施形態に係る表示装置の概略構成を示すブロック図である。
【図２】上記表示装置に含まれるタッチパネルモジュールの概略構造を示す断面図である。
【図３】上記表示装置に含まれるパネル制御装置の動作を示すフローチャートである。
【図４】本発明の他の実施形態に係る表示装置の概略構成を示すブロック図である。
【発明を実施するための形態】
【００１４】
以下、本発明の実施形態１について、詳細に説明する。
【００１５】
図１は、本発明の実施形態１に係る表示装置１００の概略構成を示すブロック図である。表示装置１００は、パネル制御装置１と、タッチパネルパラメータ記憶部２１と、表示パネルパラメータ記憶部２２と、タッチパネルコントローラ３１と、表示パネルコントローラ３２と、タッチパネルモジュール３３と、センサーコントローラ３４と、センサー３５と、通信回線３６とを備えている。パネル制御装置１、タッチパネルパラメータ記憶部２１、表示パネルパラメータ記憶部２２、タッチパネルコントローラ３１、表示パネルコントローラ３２及びセンサーコントローラ３４はそれぞれ、通信回線３６に接続されており、通信回線３６を介して、互いにデータの送受信が可能となっている。図２は、タッチパネルモジュール３３の概略構造を示す断面図である。
【００１６】
タッチパネルモジュール３３は、タッチパネルコントローラ３１により制御される表面側タッチパネル４０ａ及び裏面側タッチパネル４０ｂと、表示パネルコントローラ３２により制御される表示パネル４１とから構成されている。表示パネル４１の表面側には、ユーザによるタッチ操作を受け付ける表面側タッチパネル４０ａが配置され、表示パネル４１の裏面側には、ユーザによるタッチ操作を受け付ける裏面側タッチパネル４０ｂが配置されている。
【００１７】
表面側タッチパネル４０ａ及び裏面側タッチパネル４０ｂは、同様の構成をなしており、透過型のタッチパネルである。表面側タッチパネル４０ａは、カバーガラス４２ａ及び表用透明電極基板４３ａから構成されている。表面側タッチパネル４０ａは、いわゆる静電容量方式を採用している。表用透明電極基板４３ａは酸化インジウムスズ（Indium Thin Oxides；ＩＴＯ）でできており、表面側タッチパネル４０ａは、カバーガラス４２ａにユーザが触れることによる静電容量の変化により、タッチ操作の有無を検知する。裏面側タッチパネル４０ｂの、カバーガラス４２ｂ及び裏用透明電極基板４３ｂは、それぞれ、表面側タッチパネル４０ａのカバーガラス４２ａ及び表用透明電極基板４３ａと同様の構成であり、裏面側タッチパネル４０ｂも表面側タッチパネル４０ａと同様、静電容量方式を採用している。表面側タッチパネル４０ａ及び裏面側タッチパネル４０ｂは、静電容量方式タッチパネルに限られるものではなく、例えば、２枚の透明電極基板を用いた抵抗膜方式タッチパネルであってもよい。
【００１８】
表示パネル４１は、透過型の液晶パネルであり、偏光板４５ａ、透明表示基板４６及び偏光板４５ｂから構成されている。表示パネル４１は、有機ＥＬ（Electro Luminescence）パネルであってもよい。透明表示基板４６に表示される画像は、タッチパネルモジュール３３の表面側及び裏面側の両側から、表面側の偏光板４５ａ及び裏面側の偏光板４５ｂ、並びに、表面側タッチパネル４０ａ及び裏面側タッチパネル４０ｂをそれぞれ介して、視認可能である。
【００１９】
タッチパネルモジュール３３は、表面側タッチパネル４０ａ及び裏面側タッチパネル４０ｂを、表示パネル４１の表面側及び裏面側に、それぞれ、ガラス４４ａ及びガラス４４ｂを介して、貼り付けたアウトセル方式を採用する。タッチパネルモジュール３３は、アウトセル方式に限られるものではなく、オンセル方式、インセル方式を採用したものであってもよい。ガラス４４ａ及びガラス４４ｂはフィルムであってもよい。
【００２０】
また、図２に示すように、タッチパネルモジュール３３の表面側及び裏面側にはそれぞれ、センサーコントローラ３４により制御される表面側センサー３５ａ及び裏面側センサー３５ｂが配置されている。表面側センサー３５ａ及び裏面側センサー３５ｂは、同様の構成をなしており、物体が近づいただけでオン・オフするスイッチである、いわゆる近接センサーである。表面側センサー３５ａ及び裏面側センサー３５ｂは、赤外線を用いた近接センサーであり、赤外線を照射する照射部及び赤外線を受光する受光部から構成されている。照射部から発せられた赤外線は、物体に当たると反射する。反射した赤外線を受光部で受光すれば、赤外線の強度等により物体までの距離を計測することができる。この距離により、物体の近接を検知することができる。表面側センサー３５ａ及び裏面側センサー３５ｂは、赤外線を用いた近接センサーに限られるものではなく、電気、磁気、音波といったものを用いるものでもよい。また、上述したような赤外線を自ら発するアクティブセンサーに代えて、人体から発せされる赤外線を受光し、人体を検知するパッシブセンサーであってもよい。パッシブセンサーであれば消費電力を低減できる。
【００２１】
表面側センサー３５ａ及び裏面側センサー３５ｂの各配置箇所は、カバーガラス４２ａ及びカバーガラス４２ｂの各々への物体の近接を検知可能な箇所に配置されていればよく、例えば、タッチパネルモジュール３３のベゼル内に設置すればよい。
【００２２】
タッチパネルコントローラ３１は、タッチパネルモジュール３３の表面側タッチパネル４０ａ及び裏面側タッチパネル４０ｂを制御するものである。タッチパネルコントローラ３１は、複数本のドライバー線及び複数本のセンサー線を通して、表面側タッチパネル４０ａ及び裏面側タッチパネル４０ｂの各々と接続されている。タッチパネルコントローラ３１は、表面側タッチパネル４０ａ及び裏面側タッチパネル４０ｂからのセンシングデータを基にタッチされた座標を計算し、通信回線３６を介して、当該座標をパネル制御装置１に送信する。
【００２３】
表示パネルコントローラ３２は、タッチパネルモジュール３３の表示パネル４１を制御するものである。表示パネルコントローラ３２は、表面側タッチパネル４０ａ及び裏面側タッチパネル４０ｂへのユーザによるタッチ操作のためのユーザーインターフェイスとしての画像、すなわち、表面側から視認できる画像または裏面側から視認できる画像どちらかを、表示する。
【００２４】
センサーコントローラ３４は、センサー３５（表面側センサー３５ａ、裏面側センサー３５ｂ）を制御するものである。センサーコントローラ３４は、センサー３５からデータを取得し、通信回線３６を介して、当該データをパネル制御装置１に送信する。
【００２５】
タッチパネルパラメータ記憶部２１は、パネル制御装置１がタッチパネルコントローラ３１に設定するタッチパネルパラメータを記憶するものである。一般に、タッチパネルでは、透明電極基板上の電極（駆動電極及び検出電極）のレイアウト、当該電極のシート抵抗、透明電極基板の枚数等が製造メーカによって異なるのが通常である。このため、タッチパネルコントローラ３１がタッチパネルを制御する際に必要となるタッチパネルパラメータは、タッチパネルごとに最適化しなければならない。例えば、上述の駆動電極及び検出電極の順番、駆動電極の感度、ドライバー駆動する周波数、検出電極の全体のゲイン等である。さらに、上述したパラメータに加え、ユーザのタッチ操作感を調整するためのパラメータの最適化も必要である。例えば、タッチ有効となるレベル、タッチ無効となるレベル、タッチパネルのエッジ部分の補正、フィルタ、線形補正、防水処理の設定等である。
【００２６】
上述したタッチパネルパラメータが、表面側タッチパネル４０ａ及び裏面側タッチパネル４０ｂの各々について、タッチパネルパラメータ記憶部２１に記憶されている。タッチパネルパラメータは、タッチパネルコントローラ３１が上述のタッチ操作の検出を制御する際に必要となるものである。
【００２７】
タッチパネルコントローラ３１は、表面側タッチパネル４０ａのタッチパネルパラメータが設定されることにより、表面側タッチパネル４０ａへのタッチ操作の検出を制御することが可能になる。表面側タッチパネル４０ａのタッチパネルパラメータが設定されている場合には、タッチパネルコントローラ３１は、裏面側タッチパネル４０ｂへのタッチ操作を検出することはできない。
【００２８】
また、タッチパネルコントローラ３１は、裏面側タッチパネル４０ｂのタッチパネルパラメータが設定されることにより、裏面側タッチパネル４０ｂへのタッチ操作の検出を制御することが可能になる。裏面側タッチパネル４０ｂのタッチパネルパラメータが設定されている場合には、タッチパネルコントローラ３１は、表面側タッチパネル４０ａへのタッチ操作を検出することはできない。
【００２９】
表示パネルパラメータ記憶部２２は、パネル制御装置１が表示パネルコントローラ３２に設定する表示パネルパラメータを記憶するものである。表示パネルパラメータは、表示パネル４１の、表面における画像表示及び裏面における画像表示の各々について、予め表示パネルパラメータ記憶部２２に記憶される。
【００３０】
表示パネルコントローラ３２は、表示パネル４１の表面の表示パネルパラメータが設定されることにより、表示パネル４１の表面側から視認される画像表示を制御することが可能になる。この場合、表示パネルコントローラ３２は、表示パネル４１の裏面側から視認される画像表示を制御することはできないため、表示パネル４１の裏面側から裏面側タッチパネル４０ｂを透過して視認される画像は視認しづらいものとなる。
【００３１】
また、表示パネルコントローラ３２は、表示パネル４１の裏面の表示パネルパラメータが設定されることにより、表示パネル４１の裏面側から視認される画像表示を制御することが可能になる。この場合、表示パネルコントローラ３２は、表示パネル４１の表面側から視認される画像表示を制御することはできないため、表示パネル４１の表面側から表面側タッチパネル４０ａを透過して視認される画像は視認しづらいものとなる。
【００３２】
ここで、表示パネル４１の表面側に表示される画像は、裏面側から見れば左右が反転し視認しづらくなる。同様に、表示パネル４１の裏面側に表示される画像は、表面側から見れば左右が反転し視認しづらくなる。表示パネルパラメータは、このような不具合を解消するためのものであり、ユーザが表示パネル４１の表面側から画像を視認する場合に当該表面側に適正に視認できる画像を表示させるための表面用パラメータと、ユーザが表示パネル４１の裏面側から画像を視認する場合に当該裏面側に適正に視認できる画像を表示させるための裏面用パラメータと、をそれぞれ表面、裏面の表示パネルパラメータに含んでいる。以下、表示パネルパラメータについて説明する。
【００３３】
パネル制御装置１は、上述したとおり、タッチパネルモジュール３３の表面側または裏面側への人間（物体）の接近を検知し、人間の居る方の面側から適正に視認できるように画像を制御するものである。例えば、表面側から「あ」と視認できる文字を裏面側から見ると「あ」の左右を反転した文字が視認され、「あ」という文字には読めない。このため、パネル制御装置1は、表示パネル４１における左右の画像表示を表面と裏面とで反転処理することにより、人間の居る方の面側から適正な画像を視認させる。なお、表示パネル４１における上下の画像表示についても同様である。
【００３４】
通常、画像表示する際、表示パネル４１の左から右へ水平走査線を走査する処理を、表示パネル４１の上から下へ繰り返して行うことにより、一画面分の走査を行う。このように、水平走査線が一画面分走査されることにより１枚の画像が表示パネル４１に表示される。この画像はＶＲＡＭ（Video Random Access Memory）のバッファから読み出されるものである。典型的な画像処理では、ＶＲＡＭはダブルバッファとなっており、一方のバッファに描画し、先に描画された他方のバッファから表示のための読み出しを行うことにより、描画処理と表示処理とを交互に実行する。水平走査線の位置（通常はＸ座標及びＹ座標で表す）から１つのメモリアドレスが生成され、そのメモリアドレスに該当するＶＲＡＭのデータが読み出される。
【００３５】
ここで、ＶＲＡＭの一方のバッファに、表示するデータが既に描画され、格納されている場合、例えば、上述した「あ」という文字が表示パネル４１の上から下に順次「左から右」方向に順番に読み出せるように、当該順番で「あ」を表す各描画データが一方のバッファに格納されている場合を例に挙げて説明する。この場合、上述した左右の表示を制御するには、水平同期信号で「左から右」方向にＶＲＡＭを読み出すことに代えて「右から左」方向に読み出して、表示パネル４１に表示すればよい。こうすることにより、裏面側から「あ」という文字が適正に視認できるよう表示される。また別の方法として、ＶＲＡＭのバッファに格納される描画データの配置位置を変えてもよい。具体的には「左から右」方向にＶＲＡＭを読み出すものとして配置された描画データを、「右から左」方向にＶＲＡＭを読み出すものとして配置し直しておく。表示処理の際、「左から右」方向にＶＲＡＭを読み出して表示パネル４１に表示することにより、裏面側から「あ」という文字が適正に視認できるよう表示される。
【００３６】
なお、表示パネルパラメータは、例えば、ＶＲＡＭへの描画方法を設定するためのパラメータ及び、同期信号（水平周期／垂直周期等）といった、表示パネル４１の画像表示に必要となる基本的な制御信号を設定するためのパラメータも含む。また、表示パネルパラメータには、表示パネル４１の表示調整に用いる、色・明るさの調整（コントラスト、色相、ガンマ等）を設定するためのパラメータも含まれる。
【００３７】
パネル制御装置１は、図１に示した通り、検知部１１と、判定部１２と、タッチパネル設定部１３と、表示パネル設定部１４とを有している。検知部１１は、センサーコントローラ３４から、センサー３５（表面側センサー３５ａ、裏面側センサー３５ｂ）からのデータを受信し、タッチパネルモジュール３３の表面または裏面への物体の近接を検知する。
【００３８】
判定部１２は、表面または裏面への物体の近接が検知部１１によって検知されると、表面または裏面のいずれが、物体が近接した面（以下、「物体近接面」と呼ぶ。）であるかを判定する。判定部１２は、表面及び裏面の両面への物体の近接が検知された場合には、例えば、物体の近接が先に検知された面を物体近接面とする。あるいは、判定部１２は、その検知された順に、物体近接面であると判定してもよい。このように判定部１２は、両面への物体の近接が検知された場合における調停処理も行う。
【００３９】
タッチパネル設定部１３は、判定部１２により判定された物体近接面のタッチパネルパラメータをタッチパネルパラメータ記憶部２１から取得する。そして、タッチパネル設定部１３は、取得したタッチパネルパラメータをタッチパネルコントローラ３１に送信し、当該タッチパネルパラメータをタッチパネルコントローラ３１に設定する。つまり、物体接近面が表面であれば表面のタッチパネルパラメータがタッチパネルコントローラ３１に設定され、物体接近面が裏面であれば裏面のタッチパネルパラメータがタッチパネルコントローラ３１に設定される。
【００４０】
表示パネル設定部１４は、判定部１２により判定された物体近接面が表面の場合は表面の表示パネルパラメータを、表示パネルパラメータ記憶部２２から取得する。また、物体近接面が裏面の場合は裏面の表示パネルパラメータを、表示パネルパラメータ記憶部２２から取得する。そして、表示パネル設定部１４は、取得した表示パネルパラメータを表示パネルコントローラ３２に送信し、当該表示パネルパラメータを表示パネルコントローラ３２に設定する。
【００４１】
このように、物体（人間）が近接した物体近接面を、検知部１１の検知結果に基づき、判定部１２が判定する。そして、タッチパネル設定部１３は、判定部１２により判定された物体近接面へのタッチ操作の検出を制御する際に必要となるタッチパネルパラメータをタッチパネルコントローラ３１に設定する。また、表示パネル設定部１４は、判定部１２により判定された物体近接面への画像表示を制御する際に必要となる表示パネルパラメータを表示パネルコントローラ３２に設定する。これにより、タッチパネルコントローラ３１は、上述のタッチ操作の検出が制御不可の状態から制御可能な状態へと自動的に切り替えられる。表示パネルコントローラ３２は、上述の画像表示が制御不可の状態から制御可能な状態へと自動的に切り替えられる。したがって、従来のような、ユーザ自らによるスイッチ等を用いた切り替え作業が不要で、ユーザが意識することなく切り替えが行われるので、ユーザの利便性が向上する。さらに、ユーザによるスイッチ等を用いた切り替えに備え、表面及び裏面の両面からの入力及び表示が可能となるように待機することも不要となるので、ソフトウェアの処理負荷が軽減されると共に、消費電力も低減される。
【００４２】
なお、パネル制御装置１は、上述した機能の他、表示装置１００の各構成部材の動作も制御する機能を担っている。
【００４３】
次に、図３を参照して、パネル制御装置１の動作について説明する。まず、検知部１１は、センサーコントローラ３４を介して表面側センサー３５ａ及び裏面側センサー３５ｂのデータを受信し、人感検知を行う（ステップＳ１０１）。本ステップＳ１０１においては、表示装置１００は、表面側センサー３５ａ、裏面側センサー３５ｂ及びセンサーコントローラ３４以外をスリープモードに移行させ、低消費電力を実現する（常時監視モード）。表面側センサー３５ａ及び裏面側センサー３５ｂが低消費電力常時監視モードを持つものであれば、そのモードで監視させてもよい。
【００４４】
検知部１１が物体の近接を検知すると（ステップＳ１０２でＹＥＳ）、パネル制御装置１は表示装置１００のスリープモードを解除し、表示装置１００を起動（ウェイクアップ）する（ステップＳ１０３）。なお、検知部１１が物体の近接を検知しなければ（ステップＳ１０２でＮＯ）、引き続き、人感検知が行われる。検知部１１による検知が行われるまでスリープモードを実行することにより、消費電力の低減が実現される。
【００４５】
判定部１２は、タッチパネルモジュール３３の表面または裏面への物体の近接が検知されると、表面または裏面のいずれが物体近接面であるかを判定する（ステップＳ１０４）。言い換えれば、本ステップＳ１０４において、物体、つまり、人間が、タッチパネルモジュール３３の表面または裏面のどちらの方向からタッチするのか（タッチ方向）が判断されることになる。
【００４６】
タッチパネル設定部１３は、判定部１２により判定された物体近接面のタッチパネルパラメータをタッチパネルパラメータ記憶部２１から取得する。そして、タッチパネル設定部１３は、取得したタッチパネルパラメータをタッチパネルコントローラ３１に送信し、設定する（ステップＳ１０５）。
【００４７】
表示パネル設定部１４は、判定部１２により判定された物体近接面側である、表示パネル４１の表面または裏面の表示パネルパラメータを表示パネルパラメータ記憶部２２から取得する。そして、表示パネル設定部１４は、取得した表示パネルパラメータを表示パネルコントローラ３２に送信し、設定する（ステップＳ１０６）。
【００４８】
タッチ操作が検出された場合、パネル制御装置１は、タッチパネルコントローラ３１から取得したタッチ座標の反転処理（座標移動及び回転の組合せによる処理）及び、当該タッチ座標の反転処理に伴う表示画像の反転処理を行う（ステップＳ１０７）。ただし、上述した反転処理が不要なタッチ操作であれば、本ステップＳ１０７は不要となる。そして、パネル制御装置１は、タッチパネルコントローラ３１から取得した、タッチ座標に対する制御を実行する（ステップＳ１０８）。
【００４９】
パネル制御装置１は、タッチ操作が終了してから、何もタッチされていない時間を観測する。その時間が指定時間（例えば１５秒）を超えた場合（ステップＳ１０９でＮＯ）、表示装置１００の処理が終了していなければ（ステップＳ１１０でＮＯ）、常時監視モードに移行する。表示装置１００の処理が終了していれば（ステップＳ１１０でＹＥＳ）、パネル制御装置１の動作は終了する。一方、何もタッチされていない時間が指定時間を超えない限り（ステップＳ１０９でＹＥＳ）、パネル制御装置１は、タッチパネルコントローラ３１から取得した、タッチ座標に対する制御を実行する。
【００５０】
次に、本発明の実施形態２について説明する。本実施形態２は、上述した実施形態１のタッチパネルモジュール３３に代えて、図４に示す両面用タッチパネル５１及びＨＵＤ（Head Up Display）システム５２を用いる表示装置に係る形態である。図４に示すように、両面用タッチパネル５１は、透過型のタッチパネルであり、カバーガラス６１ａ、両面用透明電極基板６２及びカバーガラス６１ｂから構成されている。カバーガラス６１ａと両面用透明電極基板６２とが、両面用タッチパネル５１の表面側からのユーザのタッチ操作を受け付ける表面側タッチパネルの機能を担う。カバーガラス６１ｂと両面用透明電極基板６２とが、両面用タッチパネル５１の裏面側からのユーザのタッチ操作を受け付ける裏面側タッチパネルの機能を担う。上述の実施形態１と同様、タッチパネルコントローラ３１が表面側タッチパネル及び裏面側タッチパネルを制御する。
【００５１】
ＨＵＤシステム５２は、表示パネル（図示省略）を有し、当該表示パネルに表示される画像を両面用タッチパネル５１に投影する。図４では、両面用タッチパネル５１の裏面側から画像が投影されているが、両面用タッチパネル５１の表面側から画像が投影されてもよい。このような投影により、両面用タッチパネル５１の表面及び裏面への画像表示が実現される。上述の実施形態１と同様、表示パネルコントローラ３２が表示パネルを制御する。
【００５２】
センサーコントローラ３４、表面側センサー３５ａ及び裏面側センサー３５ｂについても上述の実施形態１と同様である。本実施形態２においても、上述の実施形態１と同様の効果を得ることができる。
【００５３】
上述した実施形態１および２では、検知部１１は、赤外線センサーといった近接センサーであるセンサー３５（表面側センサー３５ａ及び裏面側センサー３５ｂ）を用いて、物体の近接を検知したが、このようなセンサー３５を用いることに代えて、表面側タッチパネル４０ａ、裏面側タッチパネル４０ｂ及び両面用タッチパネル５１をホバリング動作させてもよい。ホバリング動作により物体の近接を検知することにより、センサー３５及びセンサーコントローラ３４は不要となり、表示装置の製造コストを低減することが可能となる。
【００５４】
このようなホバリング動作を行う場合であれば、表面側タッチパネル４０ａ等を常時監視モードで動作させ、表面側タッチパネル４０ａ等により物体の近接が検知された時点で、表示装置全体が起動されることになる。さらに、表面側タッチパネル４０ａ等への物体の接触も検知が可能となる。
【００５５】
また、上述した実施形態１および２では、物体が近接する面として、タッチパネルモジュール３３の表面及び裏面、並びに、両面用タッチパネル５１の表面及び裏面を例としたが、本発明はこのような表面及び裏面といった対向する２面に限るものではなく、３面、４面といった複数の面であっても、同様の効果を得ることができる。
【００５６】
以上で説明したパネル制御装置１（検知部１１、判定部１２、タッチパネル設定部１３、表示パネル設定部１４）は、集積回路（ＩＣチップ）等に形成された論理回路（ハードウェア）によって実現してもよいし、ＣＰＵ（Central Processing Unit）を用いてソフトウェアによって実現してもよい。ＣＰＵを用いて実現する場合、パネル制御装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭなどを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５８】
本発明は、複数の面のうちタッチ操作及び画像表示可能な面を制御するパネル制御装置及び、当該パネル制御装置を用いた表示装置に利用することができる。例えば、車のガラス部、ドアにはめられたガラス、ホームやビルなどの窓ガラス、ショップの窓ガラスなど、両面からのタッチ操作が必要となる装置に好適である。
【符号の説明】
【００５９】
１  パネル制御装置、１１  検知部、１２  判定部、１３  タッチパネル設定部、１４  表示パネル設定部、２１  タッチパネルパラメータ記憶部、２２  表示パネルパラメータ記憶部、３１  タッチパネルコントローラ、３２  表示パネルコントローラ、３３  タッチパネルモジュール、３４  センサーコントローラ、３５  センサー、３５ａ  表面側センサー、３５ｂ  裏面側センサー、４０ａ  表面側タッチパネル、４０ｂ  裏面側タッチパネル、５１  両面用タッチパネル、５２  ＨＵＤシステム、１００  表示装置
【図１】
2016162312.tif 000003
【図２】
2016162312.tif 000004
【図３】
2016162312.tif 000005
【図４】
2016162312.tif 000006